(57)【要約】      （修正有） 【課題】巻尺で投球距離の測定を行う場合のように、注意深く、直線状に置く必要がなく、ボールの落下地点で音波発生器の押釦スイッチを一度押すだけで、手軽に、短時間で計測作業を行うことができる取扱が簡単な距離測定装置を提供する。【解決手段】測定点Ｂで使用する電子ホイッスル等の押釦スイッチ１ａを設けた音波発生器１と、基準点Ａに設置され、音波発生器から発生するスタート信号の入力により可変クロックパルス発生回路から出力するクロック信号をカウンタ回路でカウントし、音波発生器からの音波の受波時にカウントを停止して表示器２１に距離を表示する距離計測表示装置２と、音波発生器の押釦スイッチの作動により発生するスタート信号を距離計測表示装置へ電送するスタート信号電送ケーブル３を備える。【選択図】図１
0003215994.tif 000002
【実用新案登録請求の範囲】
【請求項１】
測定点で使用する電子ホイッスル等の押釦スイッチを設けた音波発生器と、
基準点に設置され、スタート信号の入力により可変クロックパルス発生回路から出力するクロック信号をカウンタ回路でカウントし、前記音波発生器からの音波の受波時に前記カウンタ回路のカウントを停止して表示器に距離を表示する距離計測表示装置と、
前記音波発生器の前記押釦スイッチの作動により発生するスタート信号を前記距離計測表示装置へ電送するケーブルと、を備える
ことを特徴とする距離測定装置。
【請求項２】
前記可変クロックパルス発生回路には、クロックパルス調整素子が設けられていることを特徴とする請求項１記載の距離測定装置。
【請求項３】
前記音波発生器に下端に重りを設けた吊り糸又はストック等の計測点指示用具を設けたことを特徴とする請求項１又は請求項２記載の距離測定装置。
【考案の詳細な説明】
【技術分野】
【０００１】
本考案は、小中学校生の体力測定の一環として行われているソフトボール投げやハンドボール投げ等の際に用いる距離測定装置に関するものである。
【背景技術】
【０００２】
現在、文部科学省の指針に基づき、毎年小中学校においては、生徒の体力の発達調査のため、ソフトボール投げ又はハンドボール投げの距離測定が行われ、その距離測定に巻尺を使用している。
【０００３】
ソフトボール投げの場合、小学生でも遠投４０ｍ、中学生のハンドボール投げの場合、遠投６０ｍの生徒がいる。従って、巻尺による距離測定作業を１クラス４０名について行うのは大変な作業で、時間もかかり、教師の負担が問題化している。
【０００４】
従来、特許文献１に示すように光又は電波と音波の到達時間の時間差と音速を乗算することにより距離を測定する種々の距離測定装置が提案されているが、取扱が簡単で上記の用途に適するものがなかった。
【先行技術文献】
【特許文献】
【０００５】
【特許文献１】特開平５−１３４０３３号公報
【考案の概要】
【考案が解決しようとする課題】
【０００６】
そこで、本考案は、巻尺で投球距離の測定を行う場合のように、注意深く、直線状に置く必要がなく、ボールの落下地点で音波発生器の押釦スイッチを押すだけで、手軽に、短時間で計測作業を行うことができる取扱が簡単な距離測定装置を提供することをを課題とするものである。
【課題を解決するための手段】
【０００７】
本考案は、上記の課題を解決するため、市販されている電子ホイッスルに着目し、これを音波を用いる距離測定装置の音波発生器として用いると共に、前記電子ホイッスルの押釦スイッチのオン信号を、有線により前記距離計測表示装置のカウンタ回路のスタート信号として電送するようにしたものである。
【０００８】
請求項１記載の考案は、測定点で使用する電子ホイッスル等の押釦スイッチを設けた音波発生器と、基準点に設置され、スタート信号の入力によりクロックパルス発生回路から出力するクロック信号をカウンタ回路でカウントし、前記音波発生器からの音波の受波時に前記カウンタ回路のカウンタを停止して表示器に距離を表示する距離計測表示装置と、前記音波発生器の前記押釦スイッチの作動により発生するスタート信号を前記距離計測表示装置へ電送するケーブルと、を備えることを特徴とする距離測定装置である。
【０００９】
請求項２記載の考案は、請求項１記載の考案において、前記クロックパルス発生回路には、クロックパルス調整素子が設けられていることを特徴とする距離測定装置である。
【００１０】
請求項３記載の考案は、請求項１又は請求項２記載の考案において、前記音波発生器に下端に重りを設けた吊り糸又はストック等の計測点指示用具を設けたことを特徴とする距離測定装置である。
【考案の効果】
【００１１】
請求項１記載の考案によれば、ボールの着地点（測定点）で、音波発生器の押釦スイッチを一度押すことにより、ボール投球点（基準点）に設置した距離計測表示装置の表示器に投球距離が表示され、生徒の投球距離を測定することができる。この計測作業時、巻尺に類似するスタート信号電送用ケーブルを引き回すことになるが、ケーブルは巻尺のように直線状に張る必要がないので、ケーブルの状態を無視して音波発生器を測定点に持っていくだけでよく、従って、巻尺で距離を測定する場合よりも遙かに手軽に短時間で測定作業を行うことができ、教師や測定者の負担を著しく軽減することができる。
【００１２】
音波は、伝搬する媒体（大気等）の影響を受け易く、その媒体の密度の変化（温度、気圧、風等）によって伝搬速度が変化するため、音波を利用した距離測定装置では、従来、サーミスタ等の温度計測器を用いて自動補正するようにしていたが、十分でなかった。
【００１３】
請求項２記載の考案によれば、測定現場において、予め巻尺で計測した１０ｍの地点で、２〜３回音波発生器の押釦スイッチを押し、距離計測表示装置の表示が１０ｍになるようにクロックパルス調整素子を駆動するツマミを回動させれば、距離測定装置が測定現場の環境に即した状態に校正され、正しい距離測定を行うことができる。
【００１４】
請求項３記載の考案によれば、音波発生器を測定点の最適位置に位置決めすることができる。
【図面の簡単な説明】
【００１５】
【図１】本考案の実施例１に示す距離測定装置の側面図である。
【図２】本考案の実施例１に示す距離測定装置のブロック図である。
【図３】本考案の実施例２における音波発生器の側面図である。
【実施例１】
【００１６】
以下、本考案の一実施形態に係る距離測定装置について、図面を参照して説明する。図1は、請求項１記載の考案にかかる実施例１に示す距離測定装置の側面図で、Ｓは距離測定装置、１は市販の電子ホイッスルの一部を改良した音波発生器、２は表示器２１及びクロックパルス調整ツマミ１８ｂを備えた距離計測表示装置、３は２芯のスタート信号電送用ケーブルである。そして、距離測定装置Ｓは上記音波発生装置１、距離計測表示装置２及びスタート信号電送用ケーブル３から構成されている。
【００１７】
前記距離計測表示装置２は、三脚４に取付け、基準点Ａに設置する。図中、５はボール、１ａは音波発生器（電子ホイッスル）１の押釦スイッチである。
【００１８】
図２は、実施例１のブロック図で、音波発生器１は市販の電子ホイッスルを改良したもので、押釦スイッチ１ａを押すと２本の単３電池を電源としてでスピーカー１ｂから３５００Ｈｚの音波（ホイッスル音）を送出する。Ｒは電池に接続した０．１Ωの抵抗で、押釦スイッチ１ａを押したときにその両端電圧のスタート信号が距離計測表示装置２へ２芯のスタート信号電送ケーブル３を介して送られる。
【００１９】
距離計測表示装置２には、音波発生器１からのスタート信号をスタートパルス信号とする増幅回路６、コンパレータ７、パルス整形回路８から成るスタートパルス生成回路９と、音の受波器１０と、その電気出力をストップパルス信号とする増幅回路１１、バンドパルスフィルタ回路１２、増幅回路１３及びパルス整形回路１４から成るストップパルス生成回路１５と、フリップフロップ回路１６、アンドゲート回路１７、可変クロックパルス発生回路１８及びパルスカウンタ回路１９から成る距離計測回路２０と、前記パルスカウンタ回路１９の測定結果を表示する表示器２１が設けられている。可変クロックパルス発生回路１８におけるクロックパルス調整素子は、実施例の場合、可変抵抗器で前記クロックパルス調整ツマミ１８ｂで調整するように構成されている。またクロックパルスの周波数は３４０００Ｈｚ前後の３２０００Ｈｚ〜３６０００Ｈｚで調整できるように構成されている。
【００２０】
前記音の受波器１０は、マイクロフォンである。マイクロフォンは、動電形、静電形、圧電形等の電気音響変換器である。実施例ではシリコンマイクを用いた。また、この実施例では、音波発生器１として３５００Ｈｚの電子ホイッスルを用いたが、投球距離の測定には約３０００Ｈｚ〜５０００Ｈｚの電子ホイッスルの使用が適当である。
【００２１】
次に実施例の距離測定装置の使用法について説明する。先ず、測定現場の環境に即した距離測定装置とするため、距離計測表示装置２の校正を行う。基準点Ａ（投球点）に距離計測表示装置２を設置し、１０ｍの地点で音波発生器１の押釦スイッチ１ａを何度か押し、距離計測表示装置２に設けたクロックパルス調整ツマミ１８ｂを操作して、表示器２１に１０ｍの表示が出るようにすれば、校正され、測定現場に即した距離計測表示装置になる。
【００２２】
ボール５を基準点Ａから投球し、ボール５の着地点Ｂまでの投球距離の測定は、音波発生器１を持って、着地点Ｂに立ち、押釦スイッチ１ａを押す。この操作により、音波発生器１からホイッスル音が送出されると共に、スタート信号電送ケーブル３を介してスタート信号が距離計測表示装置２に電送され、増幅回路６によってスタート信号が増幅された後、コンパレータ７でレベル設定されると共にパルス整形回路８により所定のスタートパルス信号となり、フリップフロップ回路１６を介してアンドゲート回路１７に入力させ、アンドゲート回路１７を介して可変クロックパルス発生回路１８が送出するクロップパルスをパルスカウンタ回路１９に入力させ、カウンタんが開始する。
【００２３】
前記スタート信号の入力から遅れて、距離計測表示装置２に到着したホイッスル音は、音の受波器１０で電気信号に変換され、続いて増幅回路１１で増幅された後、バンドバスフィルタ回路１２により、ホイッスル音の周波数のみを選別され、増幅回路１３で増幅された後、パルス整形回路１４で、所定のストップパルス信号に整形されて、フリップフロップ回路１６に入り、フリップフロップ出力をセット及びリセットして、アンドゲート回路１７を介してカウンタ回路１９へのクロックパルスの入力を停止させる。
【００２４】
パルスカウンタ回路１９は、スタートパルスの入力から、ストップパルス信号の入力までの時間間隔を計測し、次いで表示器２１はこれを距離に換算してＡ，Ｂの2地点間の距離としてデジタル表示する。距離表示のホールド時間は、実施例ではフリップフロップ回路１６からバルスカウンタ回路へリセット信号Ｒｅが送出されるまでの約１０秒である。１０秒以上距離表示をホールドしたい場合は、リセット信号送出用の押釦スイッチ１を設け、手動で行うようにすればよい。
【００２５】
本考案は、前記実施例の説明で明らかなように、音波発生器１に接続される長いスタート信号電送ケーブル３（実用上最長７０ｍ）で十分なので、軽快に音波発生器１をボール５の着地点Ｂに移動させることができ、従って、何ら苦痛を感じさせることがなく、従来の巻尺による測定作業より遙かに教師の負担を軽減させることができる。
【００２６】
なお、図１から分かるように音波発生器１を手で持ってボール５の着地点Ｂ（測定点）上に位置決めさせる場合、正確に着地点Ｂに位置決めすることは難しく、ずれを生じ易い。
【実施例２】
【００２７】
図３は、音波発生器１の位置決めを容易にする測定点指示用具を設けた２つの実施例を示すもので、図３（ａ）に示すものは、下端に重り２３を設けた吊り糸２２で、音波発生器１に吊り下げて使用するものである。また、図３（ｂ）に示すものは、上部に音波発生器１を取付けて使用する伸縮可能なストック２４である。
【００２８】
図３（ａ）に示す測定点指示用具は、取扱が簡便であると共に荷にならず、吊り糸２２の長さを距離計測表示装置２の設置高さに合わせておけば、音波発生器１の保持位置を最良の状態とすることができる。
【００２９】
また図３（ｂ）に示す測定点指示具は、音波発生器１の保持位置が多少前後左右にずれることがあるが、押釦スイッチ１ａを押したとき、音波発生器１が沈むことがない。
【００３０】
以上、本考案によれば、巻尺で投球距離の測定を行う場合に比べて、注意深く直線上に置く必要がなく、ボールの落下地点で音波発生器１の押釦スイッチ１を一度押すだけで、手軽に短時間で測定作業を行うことができ、取扱が簡単なことと相俟って、実用上教師等の負担を軽減する効果大である。
【符号の説明】
【００３１】
Ｓ                    距離測定装置
１                    音波発生器
１ａ                  押釦スイッチ
２                    距離計測表示装置
３                    スタート信号電送ケーブル
４                    三脚
５                    ボール
６，１１，１３        増幅回路
７                    コンパレータ
８，１４              パルス整形回路
９                    スタートパルス生成回路
１０                  音の受波器
１２                  バンドパスフィルタ回路
１５                  ストップパルス生成回路
１６                  フリップフロップ回路
１７                  アンドゲート回路
１８                  可変クロックパルス発生回路
１８ａ                クロックパルス調整素子
１８ｂ                クロックパルス調整ツマミ
１９                  パルスカウンタ回路
２０                  距離計測回路
２１                  表示器
【図１】
0003215994.tif 000003
【図２】
0003215994.tif 000004
【図３】
0003215994.tif 000005